【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
用紙の印刷処理条件に関する属性情報を含む複数の用紙情報を記憶する記憶手段と、
前記記憶手段に記憶された複数の用紙情報の中から特定された用紙情報に含まれる属性情報に基づいて新たな用紙情報を生成する生成手段と、
前記生成手段により生成された複数の用紙情報を表示する表示手段と、
前記表示手段により表示された複数の用紙情報の中からいずれかの用紙情報を選択する選択手段と、
前記選択手段により選択された用紙情報に含まれる用紙の属性情報に基づいた印刷処理条件で印刷処理を実行する印刷手段と、
を有することを特徴とする印刷システム。
【請求項２】
前記生成手段は、前記特定された用紙情報に含まれる属性情報を複製して前記新たな用紙情報を生成することを特徴とする請求項１に記載の印刷システム。
【請求項３】
前記生成手段は、前記複製した属性情報を変更して前記新たな用紙情報を生成することを特徴とする請求項２に記載の印刷システム。
【請求項４】
前記表示手段における前記用紙情報の表示モードとして、前記生成手段により生成された複数の用紙情報を表示する第１の表示モード、前記生成手段により生成された複数の用紙情報及び前記記憶手段に記憶された複数の用紙情報を表示する第２の表示モードのいずれかを指定する指定手段を更に有し、
前記表示手段は、前記指定手段により前記第１の表示モードが指定された場合には、前記生成手段により生成された複数の用紙情報を表示し、前記指定手段により前記第２の表示モードが指定された場合には、前記生成手段により生成された複数の用紙情報及び前記記憶手段に記憶された複数の用紙情報を表示し、
前記選択手段は、前記指定手段により前記第１の表示モードが指定された場合には、前記生成手段により生成された複数の用紙情報の中からいずれかの用紙情報を選択し、前記指定手段により前記第２の表示モードが指定された場合には、前記生成手段により生成された複数の用紙情報及び前記記憶手段に記憶された複数の用紙情報の中からいずれかの用紙情報を選択することを特徴とする請求項１乃至３のいずれか１項に記載の印刷システム。
【請求項５】
前記印刷手段は、印刷する画像に応じた現像剤像を感光体上に形成し、前記現像剤像を前記感光体から用紙上に転写する転写部と、前記転写部により転写された前記現像剤像を前記用紙に定着させる定着部とを含み、
前記属性情報は、前記転写部において前記現像剤像を前記用紙に転写する際の転写電圧に関する情報であることを特徴とする請求項１乃至４のいずれか１項に記載の印刷システム。
【請求項６】
前記印刷手段は、印刷する画像に応じた現像剤像を感光体上に形成し、前記現像剤像を前記感光体から用紙上に転写する転写部と、前記転写部により転写された前記現像剤像を前記用紙に定着させる定着部とを含み、
前記属性情報は、前記定着部において前記現像剤像を前記用紙に定着させる際の定着温度に関する情報であることを特徴とする請求項１乃至４のいずれか１項に記載の印刷システム。
【請求項７】
前記印刷手段は、印刷する画像に応じた現像剤像を感光体上に形成し、前記現像剤像を前記感光体から用紙上に転写する転写部と、前記転写部により転写された前記現像剤像を前記用紙に定着させる定着部とを含み、
前記属性情報は、前記定着部において前記現像剤像を前記用紙に定着させる際の用紙の搬送速度に関する情報であることを特徴とする請求項１乃至４のいずれか１項に記載の印刷システム。
【請求項８】
前記表示手段は、前記用紙情報とともに前記属性情報の変更履歴を表示することを特徴とする請求項３に記載の印刷システム。
【請求項９】
前記表示手段は、前記用紙情報とともに前記用紙情報の生成を指示したユーザを特定する情報を表示することを特徴とする請求項１乃至８のいずれか１項に記載の印刷システム。
【請求項１０】
用紙の印刷処理条件に関する属性情報を含む複数の用紙情報を記憶する記憶手段を有する印刷システムの制御方法であって、
生成手段が、前記記憶手段に記憶された複数の用紙情報の中から特定された用紙情報に含まれる属性情報に基づいて新たな用紙情報を生成する生成工程と、
表示手段が、前記生成工程により生成された複数の用紙情報を表示する表示工程と、
選択手段が、前記表示工程により表示された複数の用紙情報の中から用紙情報を選択する選択工程と、
印刷手段が、前記選択工程により選択された用紙情報に含まれる用紙の属性情報に基づいた印刷処理条件で印刷を実行する印刷工程と、
を有することを特徴とする制御方法。
【請求項１１】
用紙の印刷処理条件に関する属性情報を含む複数の用紙情報を記憶する記憶手段を有する印刷システムに、
前記記憶手段に記憶された複数の用紙情報の中から特定された用紙情報に含まれる属性情報に基づいて新たな用紙情報を生成する生成工程と、
前記生成工程により生成された複数の用紙情報を表示する表示工程と、
前記表示工程により表示された複数の用紙情報の中から用紙情報を選択する選択工程と、
前記選択工程により選択された用紙情報に含まれる用紙の属性情報に基づいた印刷処理条件で印刷を実行する印刷工程と、
を実行させるためのプログラム。
【手続補正２】
【補正対象書類名】明細書
【補正対象項目名】発明の名称
【補正方法】変更
【補正の内容】
【発明の名称】印刷システム、制御方法及びプログラム
【手続補正３】
【補正対象書類名】明細書
【補正対象項目名】０００１
【補正方法】変更
【補正の内容】
【０００１】
本発明は、用紙に印刷処理を行う印刷装置を有する印刷システム、制御方法及びプログラムに関する。
【手続補正４】
【補正対象書類名】明細書
【補正対象項目名】００１７
【補正方法】変更
【補正の内容】
【００１７】
上記目的を達成するために、本発明の一側面としての印刷システムは、用紙の印刷処理条件に関する属性情報を含む複数の用紙情報を記憶する記憶手段と、前記記憶手段に記憶された複数の用紙情報の中から特定された用紙情報に含まれる属性情報に基づいて新たな用紙情報を生成する生成手段と、前記生成手段により生成された複数の用紙情報を表示する表示手段と、前記表示手段により表示された複数の用紙情報の中からいずれかの用紙情報を選択する選択手段と、前記選択手段により選択された用紙情報に含まれる用紙の属性情報に基づいた印刷処理条件で印刷処理を実行する印刷手段と、を有することを特徴とする。
【手続補正５】
【補正対象書類名】明細書
【補正対象項目名】００１８
【補正方法】変更
【補正の内容】
【００１８】
本発明の別の側面としての制御方法は、用紙の印刷処理条件に関する属性情報を含む複数の用紙情報を記憶する記憶手段を有する印刷システムの制御方法であって、生成手段が、前記記憶手段に記憶された複数の用紙情報の中から特定された用紙情報に含まれる属性情報に基づいて新たな用紙情報を生成する生成工程と、表示手段が、前記生成工程により生成された複数の用紙情報を表示する表示工程と、選択手段が、前記表示工程により表示された複数の用紙情報の中から用紙情報を選択する選択工程と、印刷手段が、前記選択工程により選択された用紙情報に含まれる用紙の属性情報に基づいた印刷処理条件で印刷を実行する印刷工程と、を有することを特徴とする。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
本発明の更に別の側面としてのプログラムは、用紙の印刷処理条件に関する属性情報を含む複数の用紙情報を記憶する記憶手段を有する印刷システムに、前記記憶手段に記憶された複数の用紙情報の中から特定された用紙情報に含まれる属性情報に基づいて新たな用紙情報を生成する生成工程と、前記生成工程により生成された複数の用紙情報を表示する表示工程と、前記表示工程により表示された複数の用紙情報の中から用紙情報を選択する選択工程と、前記選択工程により選択された用紙情報に含まれる用紙の属性情報に基づいた印刷処理条件で印刷を実行する印刷工程と、を実行させることを特徴とする。
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】変更
【補正の内容】
【００２２】
本発明によれば、記憶手段に記憶された複数の用紙情報の中から特定された用紙情報に含まれる属性情報に基づいて新たな用紙情報を生成し、生成された複数の新たな用紙情報を表示し、表示された複数の新たな用紙情報の中から用紙情報を選択することができるため、印刷処理を実行する際に用紙情報を容易に選択することが可能となる。